(57)【特許請求の範囲】
【請求項１】
物体検知を行う投光素子と受光素子とで構成される第１投受光素子と、物体検知を行う投光素子と受光素子とで構成される第２投受光素子と、前記第１投受光素子と前記第２投受光素子とが取り付けられる単一のホルダとを有し、
前記第１投受光素子と前記第２投受光素子とは、前記投光素子から発せられる投光ビームの光軸が互いに非平行となるように配設され、前記第１投受光素子および前記第２投受光素子の少なくとも一方の前記投光素子は、当該投光素子から発せられる投光ビームの光軸の向きを可変とするように前記ホルダに位置調整可能に取り付けられていることを特徴とする光センサ。
【請求項２】
便器上方に独立して開閉駆動可能に配設された便蓋および便座と、請求項１の光センサとを有し、前記光センサの物体検知情報に基づいて前記便蓋および前記便座が開閉駆動制御されることを特徴とする便座装置。
【発明の詳細な説明】
【０００１】
【発明の属する技術分野】
本発明は、物体検知を行う光センサおよびこの光センサを用いた便座装置に関する。
【０００２】
【従来の技術】
従来、複数の投受光素子を用いて複数位置での物体検知等を行う場合には、１つの投受光素子と投受光素子の光学系部材と投受光素子の制御回路を搭載した回路基板とを１つのホルダに組み込んで光センサを構成するとともに、この光センサを複数個組み合わせて用いるようにしていた。
【０００３】
【発明が解決しようとする課題】
前記の従来技術では、光センサを複数個組み合わせて用いていたので、全体として大型化し、かつ高コストになるばかりでなく、製品への組み込みも煩雑であるという問題点があった。また、各光センサの光軸、すなわち各投光素子から発せられる投光ビームの光軸が互いに平行に設定されており、製品への各光センサの組込位置が制約されるという問題があった。
【０００４】
そこで本発明は、複数の投受光素子等を単一のホルダに一体的に構成して小型化、低コストを図るとともに、少なくとも２つの投受光素子の各投光素子から発せられる投光ビームの光軸を非平行にして異なる位置での物体検知を可能にし、製品への組み込み位置の自由度を向上する。
【０００５】
【課題を解決するための手段】
本発明に係る光センサは、物体検知を行う投光素子と受光素子とで構成される第１投受光素子と、物体検知を行う投光素子と受光素子とで構成される第２投受光素子と、前記第１投受光素子と前記第２投受光素子とが取り付けられる単一のホルダとを有し、前記第１投受光素子と前記第２投受光素子とは、前記投光素子から発せられる投光ビームの光軸が互いに非平行となるように配設され、前記第１投受光素子および前記第２投受光素子の少なくとも一方の前記投光素子は、当該投光素子から発せられる投光ビームの光軸の向きを可変とするように前記ホルダに位置調整可能に取り付けられていることを特徴としている。この構成により、複数の投受光素子等が全体として一体的に構成されて小型化、低コスト化を達成でき、また製品への組み込みも容易となる。また、第１投受光素子の投光素子から発せられる投光ビームの光軸と第２投受光素子の投光素子から発せられる投光ビームの光軸とが非平行とされて第１投受光素子と第２投受光素子とにより異なる方向の物体検知が可能となり、製品への各光センサの組込位置の自由度が向上する。また、投光素子から発せられる投光ビームの光軸の向きを任意に調整することが可能になり、任意の方向の物体検知を容易に行うことができる。
【０００７】
また、本発明に係る光センサを用いた便座装置では、便器上方に独立して開閉駆動可能に配設された便蓋および便座と、請求項１または２の光センサとを有し、前記光センサの物体検知情報に基づいて前記便蓋および前記便座が開閉駆動制御されることを特徴としている。この構成により、小型化、低コスト化、製品への組み込みの容易化が可能な光センサが用いられるので、小型化、低コスト化、光センサの組み込みの容易化が可能となる。また、投光素子から発せられる投光ビームの光軸が非平行な第１投受光素子および第２投受光素子を有する光センサが用いられるので、各光センサの組込位置の自由度が向上する。
【０００８】
【発明の実施の形態】
本発明の実施の一形態について説明する。
【０００９】
図５および図６に光センサを用いた便座装置を示している。便座装置は光センサの情報に基づいて制御される対象制御装置の一例であって、図示しない便器の後方上面に装置本体２が固定されている。装置本体２の内部には、光センサとの間で信号の授受を行う制御回路１０が備わっている。便器の上方には、独立して開閉駆動可能に便蓋３および便座４が配設されている。装置本体２には、便蓋３および便座４の後端の近傍に利用者がトイレに入室したことを検知し、かつ利用者が便座４に着座したことを検知するための光センサ５が配設されている。また、装置本体２の内部には、便蓋３および便座４を開閉駆動する自動開閉装置６として、便蓋駆動モータ６ａと便座駆動モータ６ｂとが配設してある。また、装置本体２の内部には、図示しない水道水圧源から供給パイプ７を通して通水された洗浄水により、利用者が便座４に着座したときにのみ作動するようにした局部洗浄装置８が配設してある。洗浄の開始を指示する操作スイッチ９は、便座４に着座した利用者が手動操作し易い位置に配設してある。自動開閉装置６および局部洗浄装置８は制御回路１０により制御される。
【００１０】
図１〜図４に光センサ５を示している。この光センサ５は、２組の投受光素子と、これらの投受光素子を制御する制御回路と、各投受光素子の各光学系部材とを１つのホルダに納めたものである。即ち、図４に示すように、光センサ５には、ホルダ１１が設けられ、このホルダ１１に前記各投受光素子と各光学系部材と制御回路とが収納保持されている。投受光素子は、投光素子と受光素子とで構成され、投光素子から発した光が被検知物体で反射して受光素子にて受光されたときに、受光素子上の受光位置により被検知物体までの距離を検知できるものである。便座装置１に用いられる場合には、検知距離が所定の距離ａよりも小さいときに利用者がトイレに入室したと判断し、検知距離が所定の距離ａよりも小さい所定の距離ｂよりも更に小さいときに利用者が便座４に着座したと判断するようになっている。２組の投受光素子を設けたのは、便蓋３が閉じているときと便蓋３が開いているときのいずれの場合であっても、便蓋３が妨げとなることなく、利用者のトイレへの入室および利用者の便座４への着座を確実に検知できるようにするためである。すなわち、利用者のトイレへの入室時に便蓋３が閉じているときには、一方の投受光素子によってトイレへの利用者の入室を検知し、その後、利用者が便蓋３を開放して便座４に着座したときには他方の投受光素子によって便座４への利用者の着座を検知する。また、利用者のトイレへの入室時に便蓋３が開いているときには、他方の投受光素子によってトイレへの利用者の入室を検知し、その後、利用者が便座４に着座したときにも他方の投受光素子によって便座４への利用者の着座を検知する。
【００１１】
図２および図３に示すように、ホルダ１１には、第１の投光素子１４を収納保持する収納室１１ａと、第２の投光素子１５を収納保持する収納室１１ｂと、第１の投光素子１４と対をなす第１の受光素子（不図示）を収納保持する図示しない収納室と、第２の投光素子１５と対をなす第２の受光素子１６を収納保持する収納室１１ｃと、収納室１１ａと連通し第１の投光素子１４の前方に配設される光学系部材としての光学レンズ１７を収納保持する収納室１１ｄと、収納室１１ｂと連通し第２の投光素子１５の前方に配設される光学系部材としての光学レンズ１８を収納保持する収納室１１ｅと、第１の受光素子（不図示）を収納保持する図示しない収納室と連通し第１の受光素子（不図示）の前方に配設される光学系部材としての光学レンズ１９を収納保持する収納室１１ｆと、収納室１１ｃと連通し第２の受光素子１５の前方に配設される光学系部材としての光学レンズ２０を収納保持する収納室１１ｇとが設けられている。すなわち、ホルダ１１には、第１の投光素子１４および第１の投光素子１４と対をなす第１の受光素子（不図示）とで構成される投受光素子と、第２の投光素子１５および第２の投光素子１５と対をなす第２の受光素子１６とで構成される投受光素子との２組の投受光素子および各投受光素子の光学レンズ１７，１８，１９，２０が単一のホルダ１１に組み込まれている。各光学レンズ１７、１８，１９、２０はその外周縁全周に亘って収納室１１ｄ、１１ｅ、１１ｆ、１１ｇの内壁に密着固定されて収納室１１ａ、収納室１１ｂ、１１ｃおよび第１の受光素子（不図示）を収納保持する図示しない収納室の前部を密閉して防水構造としている。なお、各光学レンズ１７、１８，１９、２０には、その全周に亘って図示しない接着剤が塗布され、この接着剤により収納室１１ｄ、１１ｅ、１１ｆ、１１ｇの各内壁に密着固定されて収納室１１ｄ、１１ｅ、１１ｆ、１１ｇの内壁との間がシールされている。
【００１２】
また、ホルダ１１には、主電源がオンであることや利用者がトイレに入室したこと等の物体検知状態を発光表示するための、例えば、赤と緑の２色に発光させる表示素子２１を収納保持するとともに表示素子２１の前方に位置して表示素子２１を覆う透明な表示素子カバー２２が取り付けられる素子取付部１１ｈが設けてある。素子取付部１１ｈには、表示素子２１を収納保持する収納室が設けられ、当該収納室の前部が表示素子カバー２２によって密閉されて防水構造となっている。なお、表示素子カバー２２には、その全周に亘って図示しない接着剤が塗布され、この接着剤により表示素子２１の収納室の壁面に密着固定されて表示素子２１の収納室の壁面との間がシールされている。
【００１３】
ホルダ１１の背面には、第１の投光素子１４が取り付けられる基板２４と、第２の投光素子１５が取り付けられる基板２５と、第１の受光素子（不図示）が取り付けられる図示しない基板と、第２の受光素子１６および表示素子２１が取り付けられる基板２６とが取り付けられており、これらの基板を介して第１の投光素子１４、第２の投光素子１５、第１の投光素子１４と対をなす第１の受光素子（不図示）、第２の受光素子１６および表示素子２１の各素子がそれぞれの各収納室に収納保持されている。そして、第１の投光素子１４から発せられる投光ビームの光軸Ｌ１と第２の投光素子１５から発せられる投光ビームの光軸Ｌ２とが非平行に設定されている。すなわち、第１の投光素子１４から発せられる投光ビームの光軸Ｌ１の向きと第２の投光素子１５から発せられる投光ビームの光軸Ｌ２の向きとが異なる向きとなっている。基板２４，２５，２６および第１の受光素子（不図示）が取り付けられる図示しない基板は、それぞれ位置調整可能となっている。一例として、基板２５の位置調整構造について説明する。図２に示すように、基板２５には、図２左右方向に延出するガイド溝（不図示）が設けられ、ホルダ１１に突設したピン２５ａ，２５ｂがこのガイド溝内に位置されてガイド溝の長さだけ図２左右方向に位置調整可能となっている。そして、基板２５の位置を調整することにより、第２の投光素子１５の位置を図２左右方向に調整することができ、これによりレンズ１８の中心を通る第２の投光素子１５から発せられる投光ビームの光軸Ｌ２の向きを調整できるようになっている。図示しないが、基板２４も同様な構成となっており、第１の投光素子１４から発せられる投光ビームの光軸Ｌ１の向きも調整できるようになっている。また、ガイド溝の長手方向を図２左右方向でなく図３上下方向にして第１の投光素子１４から発せられる投光ビームの光軸Ｌ１の向きと第２の投光素子１５から発せられる投光ビームの光軸Ｌ２の向きを調整することも可能である。第１の投光素子１４から発せられる投光ビームの光軸Ｌ１の向きと第２の投光素子１５から発せられる投光ビームの光軸Ｌ２の向きを調整可能としたのは、光センサ５を所望の位置に設置する際にその位置や状況に応じて、第１の投光素子１４、第２の投光素子１５から発せられる投光ビームの投光方向を変える必要を生じることがあり、これに対応するために必要に応じて第１の投光素子１４、第２の投光素子１５から発せられる投光ビームの光軸Ｌ１、Ｌ２を調整できるようにしたものである。
【００１４】
ホルダ１１の底面には、第１の投光素子１４および第２の投光素子１５と電気的に接続されて第１の投光素子１４および第２の投光素子１５を制御する制御回路を搭載するとともに、表示素子２１と電気的に接続され、かつ便座装置１との間で信号の授受を行う回路基板２３が取り付けられた基板取付部１１ｉが設けてある。すなわち、ホルダ１１には各投受光素子の制御回路を搭載した回路基板２３が組み込まれている。回路基板２３は基板２４，２５，２６および第１の受光素子（不図示）が取り付けられる基板（不図示）の各基板に接続されている。回路基板２３と基板２４，２５および第１の受光素子（不図示）が取り付けられる基板（不図示）の各基板との接続にはリード線が用いられ、基板２６と回路基板２３との接続にはフレキシブルケーブル２７が用いられている。すなわち、表示素子２１が回路基板２３に電気的に接続されて制御回路１０との間の信号の授受が、各投受光素子および表示素子２１の全ての接続線、即ち後述のケーブル２９のように一体化して、まとめて便座装置１の制御回路１０に接続されている。
【００１５】
ホルダ１１の両側面には、それぞれ係止部１１ｊが形成され、これらの係止部１１ｊに前カバー１２が着脱可能に係止されている。前カバー１２には、ホルダ１１の前面に対向する前面部１２ａと、ホルダ１１の上面に対向する上面部１２ｂと、ホルダ１１の両側面に対向する側面部１２ｃとからなり、ホルダ１１の背面を露出する背面開口１２ｄと、ホルダ１１の底面を露出する底面開口１２ｅが設けてある。側面部１２ｃには、ホルダ１１の係止部１１ｊに係止する係止窓１２ｆが設けてある。前面部１２ａには、表示素子カバー２２に対向する位置に窓穴１２ｇが設けてあり、この窓穴１２ｇに光を透過する部材を嵌合しかつ接合して表示窓部２８を形成している。前面部１２ａは可視光をカットしてホルダ１１の前面を視認不可能とし、化粧カバーとして機能して外観見栄えを向上している。背面開口１２ｄはホルダ１１に前カバー１２を係止した後でも、基板２４、２５、２６および第１の受光素子（不図示）が取り付けられる基板（不図示）の各基板を位置調節可能とし、各投光素子または各受光素子の位置調整を自由に行うことができる。表示窓部２８には、表示素子カバー２２が近接配置されている。すなわち、表示素子カバー２２は、前面に突出部２２ａを有し、この突出部２２ａにより表示窓部２８との間の間隔を狭くして表示窓部２８に光を導く導光機能を果たすようになっている。
【００１６】
ホルダ１１には、後カバー１３が図示しないビスで取り付けられている。後カバー１３は、ホルダ１１の底面に対向する底面部１３ａと、ホルダ１１の背面に対向する背面部１３ｂとからなる。そして、後カバー１３の取付状態では、背面部１３ｂがホルダ１１の背面および底面に密着接合されて前カバー１２の背面開口１２ｄが背面部１３ｂで塞がれるとともに、前カバー１２の底面開口１２ｅが底面部１３ａで塞がれるようになっている。背面部１３ｂには、回路基板２３に接続されている束状の接続線であるケーブル２９の引出部となる第１の開口１３ｃが設けてある。ケーブル２９には表示素子２１の接続線も含まれている。後カバー１３の背面には、第１の開口１３ｃの周囲を包囲し、ケーブル２９を安定して固定するための封止用の枠部１３ｄが形成してある。封止用の枠部１３ｄには蓋体３０が嵌合され、この蓋体３０には第１の開口１３ｃに対して位置ずれした第２の開口３０ａが設けてある。ケーブル２９は両開口１３ｃ、３０ａに挿通されて中間部が屈曲した状態にて図３に示すように後カバー１３の背面側に引き出されている。蓋体３０には、図３に示すように、取付ねじ３１が挿通され、この取付ねじ３１を介して後カバー１３と共にホルダ１１に固定されている。取付ねじ３１は後カバー１３を貫通してホルダ１１に螺合されている。すなわち、後カバー１３と蓋体３０とは、１本の取付ねじ３１によりホルダ１１にねじ止めされている。
【００１７】
蓋体３０の背後には、枠部１３ｄに囲まれた空間にシリコン等の封止材３２が充填されており、封止材３２によってケーブル２９の引出部が封止されて防水構造となっている。封止材３２を蓋体３０の背後に充填する際には、封止材３２がホルダ１１の背面側に流入しないようになっている。すなわち、ケーブル２９の中間部が屈曲して第２の開口３０ａを通過し、ケーブル２９により第２の開口３０ａが塞がれた状態となっているので、封止材３２の充填の際に、封止材３２が第２の開口３０ａから蓋体３０の内側へ、更に第１の開口１３ｃから後カバー１３の内側に浸入することを防止する。封止材３２から後カバー１３の背後に引き出されたケーブル２９の先端には、図４に示すコネクタ３３が接続され、コネクタ３３を介して図６に示す便座装置１の制御回路１０に接続されている。
【００１８】
次に便座装置１の作用について説明する。
【００１９】
トイレへの利用者の入室時に便座４および便蓋３が共に閉じているときには、第１の投光素子１４から発した光を第１の受光素子（不図示）で受光して利用者までの距離を検知する。利用者までの検知距離が所定の距離ａよりも小さいときには利用者がトイレに入室したと判断し、この検知情報に基づいて制御回路１０により表示素子２１が点灯されるとともに便蓋駆動モータ６ａが駆動されて便蓋３が開放される。この際、便座駆動モータ６ｂは駆動されず、便座４が不必要に開放されることはなく、便蓋３に利用者が着座可能となる。便蓋３の開放後は、第２の投光素子１５から発した光を第２の受光素子１６で受光して利用者までの距離を検知する。利用者までの検知距離が所定の距離ａよりも小さい所定の距離ｂよりも更に小さいときには利用者が便座４に着座したと判断し、この検知情報に基づいて制御回路１０により局部洗浄装置８が作動可能となる。そして、利用者が操作スイッチ９を手動操作すれば、局部洗浄装置８が作動し、種々の態様の洗浄が可能となる。
【００２０】
トイレへの利用者の入室時に便座４および便蓋３が共に開いているときには、第２の投光素子１５から発した光を第２の受光素子１６で受光して利用者までの距離を検知する。利用者までの検知距離が所定の距離ａよりも小さいときには利用者がトイレに入室したと判断し、この検知情報に基づいて制御回路１０により表示素子２１が点灯されるとともに便座駆動モータ６ｂが駆動されて便座４が閉じられる。この際、便蓋駆動モータ６ａは駆動されず、便蓋３が不必要に閉じられることはなく、便座４に利用者が着座可能となる。便座４が閉じられた後は、第２の投光素子１５から発した光を第２の受光素子１６で受光して利用者までの距離を検知する。利用者までの検知距離が所定の距離ａよりも小さい所定の距離ｂよりも更に小さいときには利用者が便座４に着座したと判断し、この検知情報に基づいて制御回路１０により局部洗浄装置８が作動可能となる。そして、利用者が操作スイッチ９を手動操作すれば、局部洗浄装置８が作動し、種々の態様の洗浄が可能となる。
【００２１】
トイレへの利用者の入室時に便座４が閉じられて便蓋３が開いているときには、第２の投光素子１５から発した光を第２の受光素子１６で受光して利用者までの距離を検知する。利用者までの検知距離が所定の距離ａよりも小さいときには利用者がトイレに入室したと判断し、この検知情報に基づいて制御回路１０により表示素子２１が点灯される。この際、便蓋駆動モータ６ａおよび便座駆動モータ６ｂは駆動されず、便蓋３が不必要に閉じられたり、便座４が不必要に開放されたりすることはなく、便座４に利用者が着座可能となる。その後も、第２の投光素子１５から発した光を第２の受光素子１６で受光して利用者までの距離を検知する。利用者までの検知距離が所定の距離ａよりも小さい所定の距離ｂよりも更に小さいときには利用者が便座４に着座したと判断し、この検知情報に基づいて制御回路１０により局部洗浄装置８が作動可能となる。そして、利用者が操作スイッチ９を手動操作すれば、局部洗浄装置８が作動し、種々の態様の洗浄が可能となる。
【００２２】
このようにして便蓋３および便座４の開閉駆動制御用として用いられる光センサ５では、第１の投光素子１４と当該第１の投光素子１４と対をなす第１の受光素子（不図示）とで構成される第１の投受光素子と、第２の投光素子１５と当該第２の投光素子１５と対をなす第２の受光素子１６とで構成される第２の投受光素子との２組の投受光素子、各投受光素子の光学レンズ１７、１８、１９、２０および各投受光素子の制御回路を搭載した回路基板２３が単一のホルダ１１に組み込まれているので、２組の投受光素子等が全体として一体的に構成されて小型化、低コスト化が可能となり、また便座装置の装置本体２への組み込みも容易となる。また、光センサ５を用いた便座装置では、光センサ５の小型化、低コスト化に伴い、小型化、低コスト化が可能となる。なお、２組の投受光素子を単一のホルダ１１に組み込む場合に限らず、３組以上の投受光素子を単一のホルダ１１に組み込んだ場合にも同様の効果が得られる
また、光センサ５では、単一のホルダ１１に表示素子２１が取り付けられる素子取付部１１ｈが設けられ、２組の投受光素子に加えて表示素子２１が単一のホルダ１１に保持されているので、表示素子２１を専用のホルダに設ける必要がなく、構成が簡単となり、これによっても小型化、低コスト化が可能となる。また、光センサ５の小型化、低コスト化に伴い、便座装置の小型化、低コスト化が可能となる。なお、この場合にも、２組の投受光素子を単一のホルダ１１に組み込む場合に限らず、３組以上の投受光素子を単一のホルダ１１に組み込んだ場合にも同様の効果が得られる。
【００２３】
また、光センサ５では、表示素子２１が回路基板２３に接続され、回路基板２３を介して表示素子２１が２組の投受光素子と共にケーブル２９により共通の引出部を通して制御回路１０に接続されているので、コネクタ３３を制御回路１０に接続するだけで２組の投受光素子および表示素子２１を簡単に制御回路１０に接続でき、これによっても低コスト化が可能となる。また、光センサ５を用いた便座装置では、回路基板２３への投受光素子および表示素子２１の接続を簡単にした光センサ５が用いられているので、２組の投受光素子および表示素子２１の接続線を一体として光センサ５を容易に組み込むことができ、これによっても低コスト化が可能となる。この場合にも、２組の投受光素子を設ける場合に限らず、１組あるいは３組以上の投受光素子を単一のホルダ１１に組み込むようにしても同様の効果が得られる。
【００２４】
また、光センサ５では、ホルダ１１の前方に前カバー１２が設けられ、この前カバー１２の表示窓部２８を通して表示素子２１によりトイレに利用者が入室したときにその旨を発光表示するが、表示素子カバー２２に表示窓部２８へ接近して表示窓部２８への導光機能を有する突出部２２ａを設けたので、表示素子２１から発せられる光が効率よく表示窓部２８に導かれ、利用者が入室したときにその旨を表示窓部２８に鮮明に発光表示でき、視認性が向上する。このため、表示素子カバー２２と表示窓部２８との間に専用の導光部材を設ける必要がなく、これによっても低コスト化が可能となる。
【００２５】
また、光センサ５では、前カバー１２にホルダ１１の背面を露出する背面開口１２ｄが設けられ、この背面開口１２ｄを通して第１の投光素子１４が取り付けられる基板２４と、第２の投光素子１５が取り付けられる基板２５と、第１の受光素子（不図示）が取り付けられる図示しない基板と、第２の受光素子１６および表示素子２１が取り付けられる基板２６とが位置調整可能となっているので、前カバー１２をホルダ１１に係止して前カバー１２でホルダ１１を覆った後でも背面開口１２ｄを通して各投光素子や各受光素子の位置を調整して第１の投光素子１４や第２の投光素子１５から発せられる投光ビームの光軸の向きを必要に応じて容易に調整することができ、便座装置への組み込みも容易となる。また、背面開口１２ｄが後カバー１３で塞がれるので、防水、防塵上の不都合を生じることもない。また、ホルダ１１の底面に回路基板２３が取り付けられるとともに、前カバー１２にホルダ１１の底面を露出する底面開口１２ｅが形成されているので、前カバー１２でホルダ１１を覆った後でも底面開口１２ｅを通して便座装置の制御回路１０と回路基板２３との接続状態の調整等を行うことができる。また、底面開口１２ｅが後カバー１３で塞がれているので、防水、防塵上の不都合を生じることもない。また、後カバー１３がホルダ１１の背面および底面に密着接合されているので、防水、防塵上の不都合を簡単かつ確実に解消することができる。
【００２６】
また、光センサ５では、後カバー１３に第１の開口１３ｃが設けられるとともに蓋体３０にケーブル２９の中間部を屈曲状態として外部に引き出す第２の開口３０ａが形成され、後カバー１３および蓋体３０によりケーブル２９の中間部を屈曲状態として背面側から外部に引き出す構成としたので、外力によりケーブル２９に引張力が作用した場合であってもケーブル２９の回路基板２３との接続部に応力を生じることがなく、導通不良を生じない。また、後カバー１３と蓋体３０とが同一の取付ねじ３１によりホルダ１１にねじ止めされているので、蓋体３０を後カバー１３と共に容易に組み付けることができる。また、蓋体３０の背後の枠部１３ｄにより囲まれた空間に封止材３２が充填されて防水構造とされているので、封止材３２の使用料を削減でき、低コストである。
【００２７】
また、光センサ５では、第１の投光素子１４から発せられる投光ビームの光軸Ｌ１と第２の投光素子１５から発せられる投光ビームの光軸Ｌ２とが非平行に設けられているので、異なる向きでの物体検知が可能となり、便座装置への組込位置の自由度が向上し、便座装置のデザインや設計の自由度が向上する。また、第１の投光素子１４から発せられる投光ビームの光軸Ｌ１と第２の投光素子１５から発せられる投光ビームの光軸Ｌ２とがその向きを調節可能となっているので、第１の投光素子１４から発せられる投光ビームの光軸Ｌ１と第２の投光素子１５から発せられる投光ビームの光軸Ｌ２のそれぞれの向きを任意に調整することができ、トイレへの利用者の入室位置等に応じて任意の方向の検知を容易に行うことができる。
【００２８】
【発明の効果】
本発明に係る光センサによれば、１つのホルダに複数の投受光素子が取り付けられるので、複数の投受光素子が全体として一体的に構成されて小型化、低コスト化を達成でき、また製品への組み込みも容易となる。また、複数の投受光素子のうち、少なくとも第１投受光素子の投光素子から発せられる投光ビームの光軸と第２投受光素子の投光素子の投光素子から発せられる投光ビームの光軸とが非平行とされて第１投受光素子と第２投受光素子とにより異なる方向の物体検知が可能となり、製品への組込位置の自由度が向上する。また、投光素子から発せられる投光ビームの光軸の向きを可変とするように第１投受光素子および第２投受光素子の投光素子の少なくとも一方をホルダに位置調整可能に取り付ければ、投光素子から発せられる投光ビームの光軸の向きを任意に調整することが可能になり、任意の方向の物体検知を容易に行うことができる。
【００２９】
また、本発明に係る光センサを用いた便座装置によれば、小型化、低コスト化、製品への組み込みの容易化が可能な光センサが用いられて小型化、低コスト化、光センサの組み込みの容易化が可能となる。また、投光素子から発せられる投光ビームの光軸が非平行な第１投受光素子と第２投受光素子とを有する光センサが用いられて光センサの組込位置の自由度が向上する。
【図面の簡単な説明】
【図１】本発明の実施の一形態を示す要部正面図である。
【図２】図１Ａ−Ａ線断面図である。
【図３】図１Ｂ−Ｂ線断面図である。
【図４】図１の分解斜視図である。
【図５】本発明の光センサを用いた便座装置を示す縮小平面図である。
【図６】便座装置の構成を示すブロック図である。
【符号の説明】
３            便蓋
４            便座
５            光センサ
１１          ホルダ
１４          第１投受光素子
１５，１６    第２投受光素子
Ｌ            光軸
【図１】
0004409129.tif 000002
【図２】
0004409129.tif 000003
【図３】
0004409129.tif 000004
【図４】
0004409129.tif 000005
【図５】
0004409129.tif 000006
【図６】
0004409129.tif 000007